(57)【要約】  平行に方向付けられた多数の髪（２０）からなる少なくとも１つの薄い幅広の毛髪束（１０）と、髪または他の好適な材料にて作製され、上記毛髪束（１０）の外端と連結された編込用バンド（２）とを含む基礎毛髪（１１）と連結するのためのヘアピース（１）であって、編込用バンド（２）は、当該編込用バンド（２）が帯状頂部４および帯状谷部（５）を備えていることによって、ジグザグの、捩れが連続した波形を備え、上記編込用バンド（２）は、当該編込用バンドの波形を維持するための支持要素（１２）をさらに備えている。
2010516917.tif 000002
【特許請求の範囲】
【請求項１】
基礎毛髪（１１）と連結するためのヘアピース（１）であって、
平行に方向付けられた多数の髪（２０）からなる、少なくとも１つの薄い幅広の毛髪束（１０）と、
髪、または、綿もしくは合成材料のような他の好適な材料から作製され、毛髪束（１０）の外端と連結されている編込用バンド（２）とを含み、
上記編込用バンド（２）は、帯状頂部（４）および帯状谷部（５）を備えていることによって、ジグザグの、捩れが連続した波形を備え、
上記編込用バンド（２）は、当該編込用バンド（２）の波形を維持するために、さらに支持要素（１２）を備えていることを特徴とするヘアピース（１）。
【請求項２】
上記支持要素（１２）は、硬質要素または形状を保った要素、波形の編込用バンド（２）の帯状頂部（４）および／または帯状谷部（５）の間に備えられる架橋要素（１２）から選択されることを特徴とする、請求項１に記載のヘアピース（１）。
【請求項３】
多数の架橋要素（１２）が、本質的に一体である第２編込用バンド（３）を形成していることを特徴とする請求項１または２に記載のヘアピース（１）。
【請求項４】
波形の編込用バンド（２）の帯状頂部（４）が、基礎毛髪（１１）内における使用の際、基礎毛髪（１１）の方向に傾いていることを特徴とする請求項１〜３の何れか１項に記載のヘアピース（１）。
【請求項５】
上記架橋要素（１２）または上記第２編込用バンド（３）が、帯状谷部（５）の近傍において、第１編込用バンド（２）と連結されていることを特徴とする請求項３または４に記載のヘアピース（１）。
【請求項６】
第２毛髪束（２１）を備え、
第２毛髪束（２１）の外端は、第３編込用バンド（７）と連結されていることを特徴とする請求項１〜５の何れか１項に記載のヘアピース（１）。
【請求項７】
連結用開口（９）が、第３編込用バンド（７）と、第１編込用バンド（２）および／または第２編込用バンド（３）との間に備えられていることを特徴とする請求項６に記載のヘアピース（１）。
【請求項８】
上記毛髪束（１０）の反対側である、第１編込用バンド（２）および上記第２編込用バンド（３）の上部において、上記第３編込用バンド（７）と、上記第１編込用バンド（２）および／または上記第２編込用バンド（３）とが、連結要素（６）を用いて、一定の距離にて横方向へ相互に連結されていることを特徴とする請求項６または７に記載のヘアピース（１）。
【請求項９】
第３編込用バンド（７）と、第１編込用バンド（２）および／または第２編込用バンド（３）との各上部が、互いに関して横方向に近接して配置されていることを特徴とする請求項８に記載のヘアピース（１）。
【請求項１０】
取付手段（８）を備えていることを特徴とする請求項１〜９の何れか１項に記載のヘアピース（１）。
【請求項１１】
取付手段（８）が、２つの連結要素（６）の間に形成された取付開口（９）上に配置された編込用バンド（２，３，７）の上に備えられていることを特徴とする請求項１０に記載のヘアピース（１）。
【請求項１２】
波形の第１編込用バンド（３）の上記帯状谷部（５）の近傍において、上記連結要素（８）が、第１編込用バンドまたは第２編込用バンド（３）と連結されていることを特徴とする請求項１０または１１に記載のヘアピース（１）。
【請求項１３】
上記取付手段（８）が、ヘアクリップ、ヘアピン、ヘアクランプおよび固定要素から選択されることを特徴とする請求項１０〜１２の何れか１項に記載のヘアピース（１）。
【請求項１４】
第１編込用バンドおよび／または第２編込用バンドおよび／または第３編込用バンドは、一定の距離において、縫い合わされた複数の縫い目または結び目要素のような分割領域を相互に備えており、
これにより、該分割領域内で短縮または分割され得、分割の後に生じた複数のヘアピースが、ぼろぼろになったり、さもなくば、使用不能となったりしないことを特徴とする請求項１〜１３の何れか１項に記載のヘアピース（１）。
【請求項１５】
上記分割領域が、第１編込用バンド（２）の帯状谷部（５）の近傍に位置していることを特徴とする請求項１４に記載のヘアピース（１）。
【請求項１６】
基礎毛髪（１１）と連結するためのヘアピース（１）であって、
平行に方向付けられた多数の髪（２０）からなる、２つの薄い幅広の毛髪束（１０、２１）と、
髪、または、綿もしくは合成材料のような他の好適な材料から作製され、毛髪束（１０、２１）の外端と連結されている２つの編込用バンド（３，７）とを含み、
上記編込用バンド（３，７）が、一定の距離で横方向に隣り合う連結要素を用いて編込用バンド（３，７）の上部、換言すると、毛髪束（１０、２１）の反対側と連結されていることによって、連結用開口（９）が、編込用バンド（３，７）の間に形成され、
編込用バンド（２）は、連結用開口（９）を形成する２つの連結要素の間に取付手段（８）を備えていることを特徴とするヘアピース（１）。
【請求項１７】
上記ヘアピースが、当業者に公知である全ての技術的等価物を備えていることを特徴とする請求項１〜１６の何れか１項に記載のヘアピース（１）。
【発明の詳細な説明】
【発明の詳細な説明】
【０００１】
本発明は、基礎毛髪と連結されるヘアピースに関し、当該ヘアピースは、平行に方向付けられた多数の毛髪および少なくとも１つの薄く、幅広の毛髪束と、編込用バンドとから構成される。上記毛髪束は、髪、または、綿もしくは合成材料のような他の適切な材料を原料としており、上記編込用バンドは、上記毛髪束の外端と連結される。
【０００２】
上記のようなヘアピースは、独国特許発明第１０２４７３４号明細書によって公知である。当該ヘアピースは、２つの毛髪束に係る２つの編込用バンドの間において連結用開口を備えているものであり、基礎毛髪内へ確実かつ迅速に装着される。したがって、上記編込用バンドおよびそれと共に結合した基礎毛髪の結び目はほとんど見えない。なぜなら、基礎毛髪内にヘアピースの装着後、第２の毛髪束は、第１の毛髪束の上に折り畳まれる。それによって、基礎毛髪の結び目および髪の結合手段は見えなくなるからである。
【０００３】
編込用バンドを有する当該ヘアピースは、直線状のヘアラインが形成されるという問題を本質的に有することが知られている。その上、上記平面状の毛髪束は、わずかに伸張されただけで髪の容量が増加される。また、上記基礎毛髪と毛髪束とが、最適に一体化および混合されていない。
【０００４】
さらに、毛髪束の毛髪量を増量する必要がある。基礎毛髪の分かれ目の近くに公知のヘアピースを装着した後、ヘアピースが装着された基礎毛髪のボリュームアップが分かれ目の近傍にて即座に目立つからである。さらに、公知のヘアピースの上記編込用バンドは、頭皮から離れてしまう傾向がある。このため、基礎毛髪との自然な一体化が損なわれる。
【０００５】
本発明の目的は、基礎毛髪に対して、簡便に、確実に、および、速やかに装着できるヘアピースを提供することである。上記ヘアピースによれば、編込用バンドおよび基礎毛髪の結び目を見え難くすることができる。また、基礎毛髪のボリュームを増加させることによって、柔らかいヘアラインが現れるため、基礎毛髪とヘアピースとの一体化および混合の度合いが改善される。
【０００６】
本発明に係る基礎毛髪と連結されるヘアピースは、以下の要素を含む。
−上記編込用バンドは、帯状頂部および帯状谷部に構成された編込用バンドによって、ジグザグの、捩れが連続した波形を備えている。
−上記編込用バンドは、当該編込用バンドの波形を維持する支持要素をさらに備えている。
【０００７】
ジグザグの、捩れが連続した波形を有する編込用バンドを備えていることにより、上記毛髪束は、髪のボリュームを増加することができ、かつ基礎毛髪に非常に大きなボリュームを与え、この編込用バンドと連結された上記髪は、その自由底端部において柔らかなヘアラインを形成し、直線状であるヘアピースのヘアラインよりも自然な効果をもたらす。
【０００８】
特に、上記支持要素は、硬質要素または保形要素と、波形の編込用バンドの帯状頂部および／または帯状谷部の間に備えられた架橋要素とからなるリストから選択される。保形要素を有する波形の編込用バンドが備えられていることによって、基礎毛髪内に編込用バンドが装着された後も、上記波形はさらに維持および保持される。また、上記波形は、編込用バンドの帯状頂部および／または帯状谷部と相互に連結することにより容易に固定および保持される。
【０００９】
好ましい実施形態において、多数の架橋要素によって第２編込用バンドが形成される。上記多数の架橋要素は本質的に一体となっている。当該実施形態において、編込用バンドの波形は、単純かつ容易に製造された構造によって固定され、また、追加の毛髪束が第２編込用バンドと連結される。
【００１０】
特に、基礎毛髪における使用の際、波形の編込用バンドの上記帯状頂部は、基礎毛髪に向けて傾けられる。その結果、基礎毛髪がボリームアップするにも関わらず髪部分が覆われたままであるように、編込用バンドと基礎毛髪との間にて、装着感または配置の改善がなされる。
【００１１】
好ましくは、第２編込用バンドの上記架橋要素は、上記帯状谷部の近傍における第１編込用バンドと連結される。支持要素を波形の編込用バンドの帯状谷部に取付けることにより、上記帯状頂部は、基礎毛髪の一体化および混合を改善できるように、基礎毛髪に向けて傾けられる。そして、基礎毛髪がボリュームアップされる間、上記髪部分はより長い間覆われることとなる。
【００１２】
本発明のさらなる実施形態では、上記ヘアピースは、第２毛髪束を備えている。第２毛髪束の外端は、第３編込用バンドと連結されている。その結果、より高ボリュームのヘアピースによって、基礎毛髪のボリュームが向上されることとなる。さらに、上記ヘアピースは、容易に装着され、折り畳まれてもよく、その上、波形の編込用バンド上部の効果は変わらないままである。
【００１３】
好ましくは、連結用開口は、第３編込用バンドと、第１編込用バンドおよび／または第２編込用バンドとの間に備えられる。それらの上部（毛髪束の反対側）について詳細には、第３編込用バンドと、第１編込用バンドおよび／または第２編込用バンドとは、連結要素による一定の距離にて横方向に相互に連結されている。より詳細には、第３編込用バンドの上部と第１編込用バンドおよび／または第２編込用バンドとは、互いに隣接して位置している。これらの特徴により、ヘアピースは容易に開かれ、基礎毛髪に装着される前に開かれた状態にて畳まれることにより容易に装着され、その後、容易に折り畳まれる。さらに、上記ヘアピースは、基礎毛髪内に好適に目立たなくなるか、または、隠される。
【００１４】
特殊な実施形態では、ヘアピースは取付手段を備えている。上記取付手段と共に上記ヘアピースは容易に基礎毛髪に装着され、装着位置から除去される。例えば基礎毛髪のボリュームアップによって再配置されてもよい。
【００１５】
好ましくは、上記取付手段は、２つの連結要素の間に形成された取付開口に位置する編込用バンド上に備えられている。編込用バンドと一体となった第２毛髪束上に編込用バンドを有する第１毛髪束を折り畳むことにより、上記ヘアピースが基礎毛髪内に装着される場合、上記取付手段は、取付手段の位置において局所的な濃厚化が上記ヘアピース内で抑制されるように、上記編込用バンドの間の（連結用）開口の近傍に配置される。
【００１６】
また、本発明に係る上記ヘアピースは、波形の第１編込用バンドに係る帯状谷部の近傍において、第１編込用バンドまたは第２編込用バンドと連結した連結要素により構成される。その結果、上記取付手段は、上記ヘアピースの第１編込用バンドおよび／または第２編込用バンドの下に隠される。
【００１７】
特に、上記取付手段は、ヘアクリップ、ヘアピン、ヘアクランプおよび接着ピースから選択される。
【００１８】
他の実施形態では、上記第１編込用バンドおよび／または第２編込用バンドおよび／または第３編込用バンドは、一定の距離において、縫い合わされた複数の縫い目または結び目要素のような分割領域を相互に備えている。これにより、上記ヘアピースは、この分割領域内で短縮されても分割されてもよく、分割の後に生じた複数のヘアピースが、ぼろぼろになったり、さもなくば、使用不能となったりすることがない。好ましい形態として、上記ヘアピースは、（縫い合わされた縫い目）要素の間の分割領域内において編込用バンドを切断することによって短縮されてもよく、その結果、ぼろぼろになったり、不要な開いた吊り下がり部分を有したりすることのないヘアピース（部分）が得られる。
【００１９】
好ましくは、上記分割領域は、第１編込用バンドの帯状谷部の近傍に位置する。これらの理由により、上記２つのヘアピースは、波形の編込用バンドの垂れ下がった谷部の無い、品の良い、清潔感のある外観を備えている。
【００２０】
また、上記発明は、基礎毛髪に結合するヘアピースに関するものであり、
−平行に方向付けられた多数の髪からなる２つの薄い幅広の毛髪束と、
−髪、または、綿もしくは合成材料のような他の好適な材料から作製された２つの編込用バンドとを備え、上記編込用バンドは、上記毛髪束の外端と連結され、当該編込用バンドは、一定の距離にて横方向に隣り合う連結要素を用いて編込用バンドの上部、換言すると、毛髪束の反対側と連結されることによって、連結用開口は、編込用バンドの間に形成され、編込用バンドは、連結用開口を形成している２つの連結要素の間に取付手段を備えている。
【００２１】
本発明は、図面によって示された具体例によって説明される。
【図面の簡単な説明】
【００２２】
【図１】図１は、本発明に係る基礎毛髪に結合したヘアピースをつけた人間の後頭部である。
【図２】図２は、支持要素を有する波形の編込用バンドの詳細を示す。
【図３】図３は、本発明に係るヘアピースの他の実施形態の図を示す。
【図４】図４は、構成エレメント分割領域を備えているヘアピースの詳細な図を示す。
【００２３】
図１では、毛髪束１０と一体となる基礎毛髪を補助する、または、充填し、より大きなヘアボリューム、および、ゆったりとしたヘアスタイルを提供するために、本発明に係る人間の髪（髪型）の基礎毛髪１１に対するヘアピース１の装着方法を示している。ヘアピース１は、平行に方向付けられた髪２０を含む毛髪束１０を備えている。編込用バンド２は、好ましくは、綿または合繊糸のような柔軟性を有する糸材料から作製されるか、または、編まれる。毛髪束１０は、例えば、編込用要素１７（図２参照）を用いて、編込用バンド２と連結される。それに対して髪は結ばれるか、または装着される。当該編込用バンド２は、帯状谷部５にて帯状頂部４を備えているため、ジグザグの、捩れが連続した波形を備えている。図１の上記ヘアピース１０は、第１編込用バンド２の帯状谷部５に結合された第２編込用バンド３を任意に備えている。ヘアピース１は、髪部分１６が見えるように、まず、髪１３の固定部分を解くことによって、基礎毛髪１１に装着される。続いて、ヘアピース１は、帯状頂部４が髪部分１６の近傍、または、髪部分１６上に位置するように、基礎毛髪１１に装着される。基礎毛髪１１に装着後、第１編込用バンド２および第２編込用バンド３を有するヘアピース１の上部が見えなくなるように、基礎毛髪１３の固定部分がヘアピース１を覆うように再配置される。髪２０は、波形の編込用バンドに結合することに起因する波形のヘアラインを構成し、基礎毛髪１１と一層自然に混じり合う状態を提供する。均一な長い髪２０を含む直線状の編込用バンドから得られ、ＮＬ１０２４７３に開示されて公知である直線状のヘアライン自体に関して、編込用バンドに装着された毛髪束１０の下側は、基礎毛髪の外端と自然に一体となり、混じり合った、自然にウェーブするヘアラインを構成する。
【００２４】
編込用バンド２の構成態様を図２にてより詳細に示す。第１編込用バンド２の波形を維持および保持するために、支持要素が備えられている。当該実施形態において、帯状頂部４および帯状谷部５は、支持要素１２に備えられる。他の実施例において、編込用バンドは、編込用バンド２の編込用要素１７内、または、編込用要素１７の下に、硬質要素または保形要素を備えていることによって、ジグザグ形状を獲得すると共に保持する。編込用バンドおよび編込用バンドによって連結された髪２０が、ヘアピースをより柔らかなものにするためヘアピース内により多くの髪が含まれるように、柔らかいヘアラインを作り出すためのジグザグの、捩れが連続した波形が含まれることは、本発明の必須の態様である。本発明の範囲内において、波形を有する上部を有するヘアピース１０を備えているため、他の方法が使用され得る。それ故、当業者に公知の全ての技術的等価物も本発明の技術思想の一部として考慮される。
【００２５】
図３は、本発明に係るヘアピース１の他の実施形態を示す。ヘアピース１は、波形の編込用バンド２、第２編込用バンド３および髪２０を含む第１毛髪束１０を備え、髪２０は編込用バンド２および第２編込用バンド３に結合される。さらに、ヘアピース１は、その後、連結される髪２０を有する第３編込用バンド７を含む第２毛髪束２１を備えている。第１毛髪束１０および第２毛髪束２１は、連結要素６を用いて相互に連結されている。好ましくは、そのような方法によって近接した第３編込用バンド７と、第１編込用バンド２および／または第２編込用バンド３との各上部は、横方向に隣接して配置される。
【００２６】
好ましくは、これらの連結要素６は、毛髪束１０および毛髪束２１の両方の編込用バンド間における一定の距離に配置された接続用より糸である。その結果、毛髪束１０および毛髪束２１両方の編込用バンドの間に（連結用）開口９が構成される。これらの連結用開口９は、基礎毛髪中にヘアピースを装着するために基礎毛髪の結び目を（連結させて）形成するために使用し得る。また、基礎毛髪に作製された結び目は、編込用バンドおよび／または毛髪束１０に結合し得る。ヘアピース１および基礎毛髪間にてさらに混合させるために、ヘアピースと共にこれらの結び目を連結することなく、連結用開口９を通じて基礎毛髪の結び目を形成することが可能である。
【００２７】
ヘアピース１が固定されて基礎毛髪に結合される場合、第２毛髪束２１は、第１毛髪束１０の上に折り畳まれ得る。このため、第１毛髪束１０の編込用バンドおよび基礎毛髪に任意に結合された結び目は、見えなくなる。好ましくは、使用の間、換言すると、基礎毛髪において装着されている間に近接した位置において、当該外部、すなわち、頭部に対して編込用バンド３および編込用バンド７の反対側に位置する部分は髪２０を備えている。その結果、編込用バンドは目立たなくなる。図３のヘアピースに係る特殊な実施形態において、上記編込用バンドは取付手段８を備えている。
【００２８】
図３において、取付手段８は、第２編込用バンド３の下に配置されるように示されているが、必要に応じて、取付手段８は、ヘアピース１の他の位置に取付けられてもよい。図３に係る好ましい実施形態において、第２編込用バンド３の上部として、同一の高さにて取付手段８の上部に位置していることにより、取付手段８は、２つの連結要素６間にある第２編込用バンド３の上に繰り返し備えられる。
【００２９】
取付手段８がこのように装着された場合、毛髪束１０および毛髪束２１の両方の間にある（連結用）開口９は、取付手段８の位置におけるヘアピースの厚さを増加し難くさせる、または、完全に抑制するために、取付手段８の近傍に配置される（上記ヘアピースは、使用位置にて折り畳まれる）。その結果、使用者の装着感の快適性が向上し、ヘアピースはより見えなくなる。波形の第１編込用バンド２を用いずに、図３のヘアピース１０を作製することも可能である。図３における取付手段８は、ヘアクリップである。しかし、固定要素であるヘアピン、ヘアクランプのような公知の他の取付手段を適用し得る。
【００３０】
図４は、本発明に係るヘアピースの編込用バンドの好ましい実施形態の詳細を示す。上記ヘアピースでは、一定の距離にて、第１編込用バンド２および／または第２編込用バンド３および／または第３編込用バンド７が、分割領域１４に備えられている。分割領域１４は、上記ヘアピースを容易に短縮し得るか、または髪（髪型）を好適に作製し得るために、例えば、縫い合わされた複数の縫い目または結び目要素１５により構成される。ここで、上記編込用バンドは取付けられていなければならない。
【００３１】
縫い合わされた複数の縫い目１５間の分割領域１４内における編込用バンドを切断することによって、分割領域１４内の新たな外端は、ぼろぼろにならず、開いた状態にて吊られず、または、その他、使用不能な外観となることはない。好ましくは、分割領域１４は、波形の編込用バンド２の帯状頂部４近傍のループを切開した後に垂れ下がらないように、第１編込用バンド２の帯状谷部５近傍の第３編込用バンド３内に備えられる。必要に応じて、第１編込用バンド２は、分割領域１４の間にて分割領域を形成する縫い目を備えている。ヘアピースが編込用バンド７に結合した第２毛髪束を備えている場合、第３編込用バンド７を切開すると、その外端が第１編込用バンド２および／または第２編込用バンド３に結合したままであるため、好ましくは分割領域１４の縫い合わされた縫い目の周辺において、上記連結要素６は第２編込用バンド３の下に位置している。
【００３２】
編込用バンドを備えているヘアピースの作製のための当業者に公知の他の等価な手段は、本明細書に記載された発明の範囲内に含まれる。
【図１】
2010516917.tif 000003
【図２】
2010516917.tif 000004
【図３】
2010516917.tif 000005
【図４】
2010516917.tif 000006
【国際調査報告】
2010516917.tif 000007
2010516917.tif 000008
2010516917.tif 000009
2010516917.tif 000010